【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
瞬間的に加熱された洗浄水を人体に向け吐出する人体洗浄装置において、
洗浄水を供給する給水路と、
前記給水路に接続し、供給された洗浄水を流水させる熱交換流路と、
前記熱交換流路内に設けられ、前記洗浄水を流水させながら瞬間的に加熱するシーズヒータと、
前記シーズヒータによって加熱された洗浄水の温度を検知する湯温検知手段と、
前記湯温検知手段の信号を取り込むとともに、前記シーズヒータの制御を行う制御部と、
前記熱交換流路の下流に設けられ、前記洗浄水を噴出する洗浄ノズルと、を備え、
前記シーズヒータと前記熱交換流路は、直管形状であり、且つ略同軸上に配置し、
前記シーズヒータの発熱部における前記熱交換流路の断面積を略一定となるよう構成し、
前記シーズヒータの表面に親水化処理を施したことを特徴とする人体洗浄装置。
【請求項２】
請求項１に記載の人体洗浄装置において、
前記湯温検知手段の上流側に気泡破砕手段を備えたことを特徴とする人体洗浄装置。
【請求項３】
請求項２記載の人体洗浄装置において、
前記気泡破砕手段は格子状平板であることを特徴とする人体洗浄装置。
【請求項４】
請求項１〜３いずれか記載の人体洗浄装置において、
前記熱交換流路に整流手段を備えたことを特徴とする人体洗浄装置。
【請求項５】
請求項１〜４いずれか記載の人体洗浄装置において、
前記親水化処理は、前記シーズヒータ表面へのシリカ系皮膜処理であることを特徴とする人体洗浄装置。
【請求項６】
請求項１〜５いずれか記載の人体洗浄装置において、
前記熱交換流路内面が鏡面状態であることを特徴とする人体洗浄装置。
【請求項７】
請求項１〜６いずれか記載の人体洗浄装置において、
前記熱交換流路内面に親水化処理を施したことを特徴とする人体洗浄装置。
【請求項８】
熱交換流路と、
前記熱交換流路内に配置され、熱交換流路内を流れる水を瞬間的に加熱するシーズヒータと、
前記シーズヒータにより加熱された温水の温度を検出する湯温検知手段と、
前記湯温検知手段の検知温度に基づいて前記シーズヒータの加熱制御を行う制御部とを備える瞬間式水加熱器において、
前記シーズヒータと前記熱交換流路は、直管形状であり、且つ略同軸上に配置し、
前記シーズヒータの発熱部における前記熱交換流路の断面積を略一定となるよう構成し、
前記シーズヒータの表面に親水化処理を施したことを特徴とする瞬間式水加熱器。
【請求項９】
請求項８記載の瞬間式水加熱器において、前記親水化処理は、前記シーズヒータ表面へのシリカ系皮膜処理としたことを特徴とする瞬間式水加熱器。
【手続補正２】
【補正対象書類名】明細書
【補正対象項目名】発明の名称
【補正方法】変更
【補正の内容】
【発明の名称】人体洗浄装置及び瞬間式水加熱器
【手続補正３】
【補正対象書類名】明細書
【補正対象項目名】０００４
【補正方法】変更
【補正の内容】
【０００４】
かかる課題を解決するためになされた第１の発明（請求項１）における人体局部洗浄装置では、瞬間的に加熱された洗浄水を人体に向け吐出する人体洗浄装置において、洗浄水を供給する給水路と、前記給水路に接続し、供給された洗浄水を流水させる熱交換流路と、前記熱交換流路内に設けられ、前記洗浄水を流水させながら瞬間的に加熱するシーズヒータと、前記シーズヒータによって加熱された洗浄水の温度を検知する湯温検知手段と、前記湯温検知手段の信号を取り込むとともに、前記シーズヒータの制御を行う制御部と、前記熱交換流路の下流に設けられ、前記洗浄水を噴出する洗浄ノズルと、を備え、前記シーズヒータと前記熱交換流路は、直管形状であり、且つ略同軸上に配置し、前記シーズヒータの発熱部における前記熱交換流路の断面積を略一定となるよう構成し、前記シーズヒータの表面に親水化処理を施したことを特徴とした。シーズヒータの表面を親水化処理し、濡れ性が向上すると、シーズヒータの表面で発生した気泡とシーズヒータの表面との間に水が回り込みやすくなり、気泡の離脱性が向上する。それによって、加熱された洗浄水中に混入する気泡径を小さく抑えることができ、洗浄水温の制御性を向上させることが可能となる。
【手続補正４】
【補正対象書類名】明細書
【補正対象項目名】０００５
【補正方法】変更
【補正の内容】
【０００５】
また、水を加熱するヒータとしてはセラミックヒータやシーズヒータなどがあるが、シーズヒータの表面部材として一般的に用いられているステンレス材は、セラミックに比べて親水性に劣る。しかしシーズヒータの表面に親水化処理を施すことによって気泡の離脱性を向上させ、洗浄水温の制御性を向上させることができる。よって、セラミックヒータよりも比較的安価なシーズヒータも加熱手段として人体局部洗浄装置に適用することが可能となる。
【手続補正５】
【補正対象書類名】明細書
【補正対象項目名】０００６
【補正方法】変更
【補正の内容】
【０００６】
またさらに、熱交換流路断面積が一定でない場合は、シーズヒータ表面を通過する洗浄水の流速が変化し、シーズヒータ周囲の洗浄水に与える熱量が局所的に変化してしまうため、洗浄水に与える熱量が大きい箇所では気泡が多く発生し、その気泡が結合して大きく成長してしまうことがある。そこで熱交換流路断面積を略一定にすることにより、熱交換流路を流れる洗浄水の流速が略一定となるため、シーズヒータから洗浄水に与える熱量が常に略一定となり、局所的に気泡が多く発生し、その気泡が結合して大きく成長してしまうことを抑えることが可能となる。
【手続補正６】
【補正対象書類名】明細書
【補正対象項目名】０００７
【補正方法】変更
【補正の内容】
【０００７】
またさらに、前記シーズヒータと前記熱交換流路は、直管形状であることを特徴とした。シーズヒータや熱交換流路が屈曲している場合は、熱交換流路内の洗浄水の流速分布が均一でなくなり、流速が遅い箇所、特に屈曲流路の内側部分ではよどみ点が発生してヒータが洗浄水に与える熱量が大きくなるため、気泡が多く発生し、その気泡が結合して大きく成長してしまうことがある。そこでシーズヒータと熱交換流路を直管形状にすることにより、熱交換流路を流れる洗浄水の流速を局所的に変化させることがなくなるため、シーズヒータから洗浄水に与える熱量が局所的に増加する箇所をつくることなく、局所的に気泡が多く発生し、その気泡が結合して大きく成長してしまうことを抑えることが可能となる。
【手続補正７】
【補正対象書類名】明細書
【補正対象項目名】０００８
【補正方法】変更
【補正の内容】
【０００８】
またさらに、シーズヒータと熱交換流路が同軸上に配置されていない場合は、シーズヒータ表面から熱交換流路内面までの距離が狭くなっている箇所で、局所的に温度が上昇してしまい、そのため気泡が多く発生し、その気泡が結合して大きく成長してしまうことがある。そこでシーズヒータと熱交換流路を略同一軸上に配置させることにより、シーズヒータが洗浄水に与える熱量が均一となり、局所的に気泡が多く発生し、その気泡が結合して大きく成長してしまうことを抑えることが可能となる。
【手続補正８】
【補正対象書類名】明細書
【補正対象項目名】０００９
【補正方法】変更
【補正の内容】
【０００９】
請求項２における人体局部洗浄装置では、前記湯温検知手段の上流側に気泡破砕手段を備えたことを特徴とした。湯温検知手段の上流側に気泡破砕手段を備えることにより、シーズヒータ表面で発生、離脱して洗浄水中に混入した気泡が湯温検知手段まで到達する前に結合することがあっても、気泡破砕手段にて再び気泡を微細化することができ、湯温検知手段での洗浄水温検知温度が安定させることが可能となる。
【手続補正９】
【補正対象書類名】明細書
【補正対象項目名】００１０
【補正方法】変更
【補正の内容】
【００１０】
請求項３における人体局部洗浄装置では、前記気泡破砕手段は格子状平板であることを
特徴とした。格子状平板とすることで、簡便な構造にて気泡破砕手段を実現することが可
能となる。
【手続補正１０】
【補正対象書類名】明細書
【補正対象項目名】００１１
【補正方法】変更
【補正の内容】
【００１１】
請求項４における人体局部洗浄装置では、前記熱交換流路に整流手段を備えたことを特徴とした。整流手段を備えることにより、熱交換流路内の流速分布の均一化を図り、シーズヒータ周囲の洗浄水が受ける熱量を均一化することで、局所的な気泡の発生、その気泡の結合による気泡の成長を抑えることが可能となる。
【手続補正１１】
【補正対象書類名】明細書
【補正対象項目名】００１２
【補正方法】変更
【補正の内容】
【００１２】
請求項５における人体局部洗浄装置では、前記親水化処理は、前記シーズヒータ表面へのシリカ系皮膜処理であることを特徴とした。それにより、シーズヒータ表面で発生する気泡の離脱性を向上することが可能となる。
【手続補正１２】
【補正対象書類名】明細書
【補正対象項目名】００１３
【補正方法】変更
【補正の内容】
【００１３】
請求項６における人体局部洗浄装置では、前記熱交換流路内面が鏡面状態であることを特徴とした。熱交換流路内面に気泡が付着しやすい状態であると、シーズヒータ表面で発生、離脱した気泡が熱交換流路内面に付着、滞留し、そこで複数の気泡が結合、成長し、湯温検知手段での検知温度を不安定にするだけでなく、熱交換流路内に留まった状態のままだと流動抵抗となり洗浄水流量を低下させ、洗浄水温が過熱されてしまったり、最悪の場合はシーズヒータを破損させてしまう。熱交換流路内面を鏡面状態にすることにより、気泡の付着を抑え、上述のような不具合の発生を防止することが可能となる。
【手続補正１３】
【補正対象書類名】明細書
【補正対象項目名】００１４
【補正方法】変更
【補正の内容】
【００１４】
請求項７における人体局部洗浄装置では、前記熱交換流路内面に親水化処理を施した
ことを特徴とした。前記熱交換流路内面に親水化処理を施すことにより、熱交換流路内面
への気泡付着をより効果的に防止することが可能となる。
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】変更
【補正の内容】
【００１７】
かかる課題を解決するためになされた第２の発明（請求項８）は、熱交換流路と、前記熱交換流路内に配置され、熱交換流路内を流れる水を瞬間的に加熱するシーズヒータと、前記シーズヒータにより加熱された温水の温度を検出する湯温検知手段と、前記湯温検知手段の検知温度に基づいて前記シーズヒータの加熱制御を行う制御部とを備える瞬間式水加熱器において、前記シーズヒータと前記熱交換流路は、直管形状であり、且つ略同軸上に配置し、前記シーズヒータの発熱部における前記熱交換流路の断面積を略一定となるよう構成し、前記シーズヒータの表面に親水化処理を施したことを特徴とする。シーズヒータ表面を親水化処理し、濡れ性が向上すると、シーズヒータ表面で発生した気泡とシーズヒータ表面との間に水が回り込みやすくなり、気泡の離脱性が向上する。加熱された洗浄水中に混入する気泡径を小さく抑えることができ、洗浄水温の制御性を向上させることが可能となる。
【手続補正１７】
【補正対象書類名】明細書
【補正対象項目名】００１８
【補正方法】変更
【補正の内容】
【００１８】
また、請求項９では、前記親水化処理は、前記シーズヒータ表面へのシリカ系皮膜処理とする。